(57)【要約】【課題】医師及び看護師・介護師たちが使用済みの汚れた手袋を自らの手を使うことなく、また他の者の介助を得ることなく簡単にかつ衛生的に取り外すことのできる手袋取り外し器具を提供する。【解決手段】本体の上部に手袋の端を係止する固定つめホルダー▲２▼、▲２▼ａが手首の挿入できる巾で左右対称に取り付けてあり固定つめホルダー▲２▼、▲２▼ａの先端には手袋開口部の端を滑らぬよう係止する可動爪▲５▼、▲５▼ａが装着されており、その固定つめホルダー▲２▼、▲２▼ａ可動爪▲５▼、▲５▼ａで手袋の開口部の両端を係止させ手袋から手を引き抜くことで手袋は捲り込まれるように裏返りになり汚部を包み込み廃棄することができる。【選択図】図４
2016180201.tif 000002
【特許請求の範囲】
【請求項１】
手袋を被着した手を本体上部の両サイドに取り付けられた固定つめホルダーの間に挿入し片側の固定つめホルダーに手袋の一端を引っ掛けペダルを踏み可動爪にて係止させた後対向する固定つめホルダーに手を引き寄せ対する手袋の端を掛け手を引き抜くことで手にまとわりつく薄手の手袋ほど外面が内側へと捲くり込まれながら裏返しになり汚れ面を手袋の中へと包み込むように取り外され、ペダルから足を離すことで可動爪と固定つめホルダーが開放され汚染手袋は直下に配置されたゴミ袋の中に落下し安全で衛生的に処理することを特徴とした手袋取り外し器具。
【発明の詳細な説明】
【発明の詳細な説明】
【技術分野】
【０００１】  本発明は、医師や看護師及び介護師たちの使用済み手袋を衣服や肌に直接触れることなく自らの手を使用せず又他人の介助も得ることなく、汚れを飛散させず衛生的に取り外し廃棄する手袋取り外し器具に関するものである。
【背景技術】
【０００２】  医師や介護師たちは作業性の良い手にフィットした収縮性のある薄手の手袋で作業をしているがこのような薄手の手袋は手にまとわりつき取り外しにくい。一般的に手袋を取り外す場合は片方の手で手袋を取り外したあと、手袋を取り外した手でもう片方にはめてある手袋を取り外さなければならなかった。【０００３】  それによって袖口や手首等直接肌を汚すことになりやすく病院の医療従事者は毒物や感染症・細菌等の作業の後は特に注意を払う必要がある。【０００４】  そこで、特開２００４−１５９７５２号に開示されている手袋取り外し装置が提案されている。この装置は固定爪とハウジング内で可動爪を左右にスライドさせるスライドユニットそれを摺動可能にさせるアームプレートやリンクプレートなどから構成さた機構がハウジングに内造され可動するよう製作されていて構造的に複雑になり重くなり高価になる。【０００５】  また、特開２００１−２９９５５８号に開示されている手袋の取り外し具及び収容容器が提案されている。この手袋取り外し具は手袋の開口部を突起部に引っ掛けて手を引き抜くことで先細り形状をなす突起部にて開口部を広げながら離脱し、汚れた手袋は取り外し具を係止した収納容器へと落下するが、薄手のゴム手袋やポリ手袋は手に装着すると手にまとわりつき極めて取り外しにくいもので、かなりの引く力を必要とするため段ボウル箱に係止したのでは箱が持ちあがり手袋は脱げない。重量のある箱にするか、箱を固定しなければならない。上部が広がっている突起部に手袋の開口部を入れ引き上げることで手袋の開口部は広げられながら離脱するが裏返しにはなりにくい。
【発明が解決しようとする課題】
【０００６】  使用済みの汚染された手袋を脱ぐ際に誤って手肌に触れることのないよう自らの手を使用することなく、また第三者の介助を得ることなく簡単で安心安全な手袋の取り外しを目的とした手袋取り外し器具を提供することを目的とする。
【０００７】  本体に取り付けられた左右の固定爪ホルダーの間に手袋を被着した手を入れ両サイドの固定つめホルダーに手首を移動させることで手袋の開口部の両端を係止させることにより、スライド装置や複雑な機構を使用することなく手袋がら手を引き抜くことのできる単純で軽量な手袋取り外し器具の提供ができる。
【０００８】  手袋の両サイドを係止する可動爪の操作が足踏みペダルのためまとわり付く手袋を引き抜くとき足でペダルを踏むことで手袋取り外し器具本体を安全に固定することができる器具を提供をすることができる。
【０００９】  手袋開口部の両端を係止させて手袋から手を引き抜くことで汚れた手袋の外側は捲くり込まれながら手袋の内側へと裏返しになり汚物の飛散を防ぐように手から取り外しができる衛生的な手袋取り外し器具の提供を目的とするものである。
【課題を解決するための手段】
【００１０】  本発明の手袋取り外し器具は本体上部の左右に取り付けられた固定つめホルダーの間に手袋を被着されている手を入れ片方の固定爪ホルダーに手袋の一端を掛けペダルを踏み可動爪にて係止させ手首を向かい合う対方側の固定つめホルダーに引きよせ、対称の開口部の端を係止させて手を手袋から引き抜くことにより取り外すことを特徴とするものである。
【００１１】  固定つめホルダー▲２▼に係止された手袋は固定つめホルダー▲２▼ａに引きよせるとき滑り止めとして可動爪▲５▼で手袋の開口部の端を係止させる。可動爪▲５▼、▲５▼ａは足踏みペダルを踏むことでワイヤーに連動された可動爪が作動する。ペダルを踏むことで本体を固定することができ、まとわり付く薄手の手袋でも引き抜くときに器具が倒れることはない。
【００１２】  汚染された手袋の開口部の端を対称に係止し手袋から手を引き抜くことでまとわり付きやすいゴム手袋やポリ手袋のような薄手の手袋ほど手を手袋から引き抜くときに捲りこまれるように裏返しになり汚部を手袋の内側に反転させることで汚物の飛散を防ぐ事ができ、また足をペダルから開放することで固定つめホルダーと可動爪が開放され汚れた手袋は直下にセットされたゴミ袋（回収箱）の中に落下して安全に廃棄することができる。
【発明の効果】
【００１３】  本発明の手袋取り外し器具を使用することで袖口や手首など素肌を汚すことなく又、第三者の介助も必要としないため汚れた手袋の表面に触れることのない安心で安全な器具として使用することができる。
【００１４】  手袋をした手を左右対称に設けた固定つめホルダーに手袋の開口部の両端を移動係止させ手を引き抜くことで汚染手袋から手を簡単に取り外すことができる単純な構造で安価な器具を提供することができる。
【００１５】  手袋を引き抜く力でバランスを崩す本体を手袋開口部の端を係止させる可動爪の操作が足踏みペダルのため本体を固定させる役目を果たすとともに本体自体を軽量化することができる。
【００１６】  本体の中央部で上下高さをスライドさせる構造にして背の低い方、長身の方それぞれが自分の使用に合わせることにより背伸びをしたり腰をかがめることなく楽に安全な姿勢で手袋を取り外すことができる。
【００１７】  本体上部に取り付けた左右の固定つめホルダーの間隔を調整することで女性用男性用とすることもでき図３のＡ部Ｂ部Ｃ部で折りたたみ式又は組み立て式にすることでコンパクト化でき移動梱包するに便利である。
【発明を実施するための形態】
以下、図面に示す実施の形態に基づいて本発明を詳細に説明する。
【００１８】  図１は器具全体の平面図で、図２は正面図・図３は側面図である  本体▲１▼と固定つめホルダー▲２▼、▲２▼ａと足踏みペダル▲３▼・袋ホルダー▲４▼・可動爪▲５▼、▲５▼ａ・ワイヤー▲６▼の部材から構成されている。
【００１９】  本体の上部から向かい合わせに取り付けられた二本の固定つめホルダー▲２▼、▲２▼ａの間に手袋を被着した手を入れて固定つめホルダー▲２▼に手袋開口部の一端を引っ掛けペダル▲３▼を踏み可動爪▲５▼で係止させ他側の固定つめホルダー▲２▼ａに手首を寄せ他側の固定つめホルダー▲２▼ａに手袋の方端を引っ掛けペダルを踏み込むことで可動爪▲５▼ａが作動して手袋の両端を係止することになる。このときペダルは一段目で可動爪▲５▼を二段目で可動爪▲５▼ａを二段階にすることで可動爪▲５▼、可動爪▲５▼ａと順次係止することができる。
【００２０】  図４はゴミ袋▲８▼を装着した本体の斜視図で手から取り外された汚れた手袋はペダルから足を離すことで固定つめホルダー▲２▼、▲２▼ａと可動爪▲５▼、▲５▼ａが開放されゴミ袋▲８▼のなかへ手袋は落下する。
【００２１】本体▲１▼の側部に使用済みの手袋を受けるためのゴミ袋を係止する袋ホルダー▲４▼が取り付けてあるが箱ものをセットするときは袋ホルダー▲４▼を下方に係止することによりゴミ箱の台座にすることも可能である。
【００２２】  図５は固定つめホルダー▲２▼、▲２▼ａの間に手袋を被着した手を入れて片側の固定つめホルダー▲２▼と可動爪▲５▼で手袋の一端を係止させた図である。
【００２３】  図６は固定つめホルダー▲２▼に手袋の一端を係止した後向かい合う固定つめホルダー▲２▼ａ側に手をよせ対する手袋の方端を引っ掛けた状態の図である。このとき手袋の端を先に係止する側の可動爪一箇所だけでも問題はなく図６・図７の図には二個目の可動爪▲５▼ａの記載無しの図である。
【００２４】  図７は左右の固定つめホルダーに手袋の開口部の両端を対称に係止した後手袋から手を引き抜くことで手袋の汚れた外面が捲くり込まれるように内側へと裏返しになりながら手が手袋から外れていく図を示す。これにより手袋が裏返しになることで汚れの飛散を少しでも防ぎ処理することができる。
【図面の簡単な説明】
【図１】平面図
【図２】正面図
【図３】側面図
【図４】ゴミ袋を装着した全本体の斜視図
【図５】は図４Ｚ矢視からの図  向かい合う固定つめホルダー間に手袋を被着した手を入れ片方の固定つめホルダーと可動爪で手袋の一端を係止した図である
【図６】は図４Ｚ矢視からの図  手袋の片側を係止した状態で向かい合う固定つめホルダー側へ手を寄せ対する手袋の端を向かい合う固定つめホルダーに引っ掛けた図
【図７】は図４Ｚ矢視からの図  手袋の両端が両固定つめホルダーに係止された状態で手袋から手を引き抜くと手袋の汚れた外面が内側へと捲くり込まれながら裏返しになり手から手袋が取り外される図
【符号の説明】  ▲１▼            本体
▲２▼、▲２▼ａ  固定つめホルダー
▲３▼            足踏みペダル
▲４▼            袋ホルダー
▲５▼、▲５▼ａ  可動爪
▲６▼            ワイヤー
▲７▼            手袋
▲８▼            ゴミ袋（ゴミ箱）
【図１】
2016180201.tif 000003
【図２】
2016180201.tif 000004
【図３】
2016180201.tif 000005
【図４】
2016180201.tif 000006
【図５】
2016180201.tif 000007
【図６】
2016180201.tif 000008
【図７】
2016180201.tif 000009